(57)【要約】【課題】鏡を見ながら眉毛を剃る際に眉の形状を確認し易い顔用剃刀を提供する。【解決手段】使用者の把持用の柄部２と、該柄部２の先端に設けられたヘッド部３と、を有する剃刀１であって、ヘッド部３は、柄部２の先端から湾曲する首部６から先端に向け漸次拡張する略三角形状ないし略台形形状であり、ヘッド部３の拡張端部に刃先５ａが位置する刃部５を備えている。【選択図】図１
2017189218.tif 000002
【特許請求の範囲】
【請求項１】
使用者の把持用の柄部と、該柄部の先端に設けられたヘッド部と、を有する剃刀であって、
前記ヘッド部は、前記柄部の先端から湾曲する首部から先端に向け漸次拡張する略三角形状ないし略台形形状であり、該ヘッド部の拡張端部に刃先が位置する刃部を備えていることを特徴とする顔用剃刀。
【請求項２】
前記刃部は、前記ヘッド部と平面視略同形状の略三角形状ないし略台形形状であることを特徴とする請求項１に記載の顔用剃刀。
【請求項３】
前記柄部は湾曲形状に形成され、該湾曲形状の前記柄部の略延長線方向に前記刃部の刃先が向けられていることを特徴とする請求項１または２に記載の顔用剃刀。
【請求項４】
前記首部が前記柄部の終端部を構成する把持部に比べ幅方向に細く形成されていることを特徴とする請求項１ないし３のいずれかに記載の顔用剃刀。
【発明の詳細な説明】
【技術分野】
【０００１】
本発明は、顔用剃刀に関する。
【背景技術】
【０００２】
頬や鼻下の剃毛や眉の形状を整えるために、小型の剃刀が提案されており、特に眉の形状を整えるものとして、特許文献１に示すような眉用剃刀が提案されている。眉用剃刀は、眉を所望の形状に整えることを目的としているため、一般的な髭を剃る剃刀よりもヘッド部が小型に形成されており、細かい操作を行うことができるようになっている。
【先行技術文献】
【特許文献】
【０００３】
【特許文献１】特開２００２−１６６０７５号公報（第３頁、第１図）
【発明の概要】
【発明が解決しようとする課題】
【０００４】
しかしながら、特許文献１にあるような眉用剃刀を用いて鏡を見ながら眉毛を剃る際には、図１２に示されるように、ヘッド部１０３が略矩形状であるため、ヘッド部１０３が小型になっているとはいえ、ヘッド部１０３が眉の一部を隠してしまい、眉の形状を確認しにくく、また、図１３に示されるように、目の直近に柄部１０２があり、鏡に写した使用者の姿自体が見えづらいという問題があった。更に、柄部１０２を持ち上げて姿を見易くしようとすると、剃刀の刃先が眉に真っ直ぐ当接せず、剃り際の処理が難しくなり、また持ち上げることにより手や腕に負担が掛かり、継続して作業を行うことが困難であった。
【０００５】
本発明は、このような問題点に着目してなされたもので、鏡を見ながら眉毛を剃る際に眉の形状を確認し易く使い易い顔用剃刀を提供することを目的とする。
【課題を解決するための手段】
【０００６】
前記課題を解決するために、本発明の顔用剃刀は、
使用者の把持用の柄部と、該柄部の先端に設けられたヘッド部と、を有する剃刀であって、
前記ヘッド部は、前記柄部の先端から湾曲する首部から先端に向け漸次拡張する略三角形状ないし略台形形状であり、該ヘッド部の拡張端部に刃先が位置する刃部を備えていることを特徴としている。
この特徴によれば、刃部の刃先がヘッド部の拡張端部に位置していることから、鏡を見ながら眉毛を剃る際に刃先がヘッド部で隠されず、刃先の位置を鏡で容易に確認できるとともに、ヘッド部の首部側が細くコンパクトになっていることから、鏡を見ながら眉毛を剃る際に、ヘッド部の首部側が邪魔になることがなく、眉の形状を視認しながら剃毛が行えるため、眉を所望の形状に整えやすい。
【０００７】
前記刃部は、前記ヘッド部と略相似形状の略三角形状ないし略台形形状であることを特徴としている。
この特徴によれば、刃部とヘッド部とを略相似形状としたので、刃部及びヘッド部の材料を必要最小限とすることができる。
【０００８】
前記柄部は湾曲形状に形成され、該湾曲形状の前記柄部の略延長線方向に前記刃部の刃先が向けられていることを特徴としている。
この特徴によれば、剃り際が見やすい角度で刃先が傾斜するため、柄部の操作による刃先のコントロールが行い易く眉を所望の形状に整えやすい。また、柄部を持ち上げることなく、柄部が目から離れた状態となるため、手や腕に負担が掛からず使い易い。
【０００９】
前記首部が前記柄部の終端部を構成する把持部に比べ幅方向に細く形成されていることを特徴としている。
この特徴によれば、首部が把持部より細く形成されているため、把持部の操作性を保ちながら、鏡を見ながら眉毛を剃る際に首部が視界の邪魔になりづらい。
【図面の簡単な説明】
【００１０】
【図１】実施例における顔用剃刀を示す斜視図である。
【図２】同じく側面図である。
【図３】同じく下面図である。
【図４】同じく分解斜視図である。
【図５】刃部材を示す平面図である。
【図６】顔用剃刀の正面図である。
【図７】図３のＡ‐Ａ断面図である。
【図８】やや斜めから見た顔用剃刀の使用例を示す正面図である。
【図９】顔用剃刀の使用例を示す側面図である。
【図１０】鼻下を剃る際の顔用剃刀の使用例を示す側面図である。
【図１１】変形例を示す図である。
【図１２】やや斜めから見た従来の顔用剃刀の使用例を示す正面図である。
【図１３】従来の顔用剃刀の使用例を示す側面図である。
【発明を実施するための形態】
【００１１】
本発明に係る顔用剃刀を実施するための形態を実施例に基づいて以下に説明する。
【実施例】
【００１２】
実施例に係る顔用剃刀につき、図１から図１０を参照して説明する。以下、図２（側面図）の紙面左側を顔用剃刀の正面側（前方側）として説明する。
【００１３】
図１の符号１は、本発明の適用された顔用剃刀である。図１及び図２に示されるように、顔用剃刀１は、柄部２と柄部２の先端から湾曲する首部６と、首部の先端に設けられたヘッド部３と、を有している。ヘッド部３には、その先端から刃先５ａが僅かに突出するように刃部材５が設けられている。
【００１４】
図２及び図３に示されるように、柄部２は終端側に使用者が把持し易い把持部４を有しており、首部６が把持部４に比べ幅方向に細く形成されている。そのため、把持部４を持ちやすい太さとして操作性を保ちながら、鏡を見ながら眉毛を剃る際に首部６が使用者の視界をそれほど遮らず、自身の姿を確認し易いので、邪魔と感じにくいものとなっている。
【００１５】
また、側面視において柄部２は、首部６から把持部４方向に漸次厚みが大きくなるような形状であることから、顔用剃刀１を剃る方向（図９の矢印参照）に動かす際に、使用者の手に把持部が引っ掛かり易いため、しっかりと把持した状態で剃ることができ、握力の小さい使用者でも顔用剃刀１を扱いやすい。
【００１６】
図４に示されるように、ヘッド部３は首部６から延設されたヘッド基部３ａと、刃部材５と、ヘッド基部３ａとともに刃部材５を挟むカバー部材７とにより構成されている。これらヘッド基部３ａ，刃部材５，カバー部材７は、それぞれ正面視略相似形状の略三角形状であり、これらが組み合わされて構成されたヘッド部３は、図６に示されるように、正面視で首部６から先端に向け漸次拡張する略三角形状となっている。このように、刃部材５，カバー部材７は、それぞれ正面視略相似形状であるため材料が必要最小限となっている。
【００１７】
また、刃部材５は、左右幅がヘッド基部３ａとカバー部材７に比べ若干短く形成されており、カバー部材７の裏面の縁部に形成された凸条１０により刃先５ａ以外が被覆されている。
【００１８】
また、刃部材５とヘッド基部３ａとには、対応する位置に孔１１，１１及び係合孔１２，１２が形成されており、カバー部材７の裏面に設けられた凸部１３，１３が刃部材５の孔１１，１１を挿通するとともに、係合孔１２，１２に係合することで、これらが一体に組み立てられている。
【００１９】
図５に示されるように、刃部材５は、一辺に刃先５ａを有し、この刃先５ａに重合するように、略波状の切欠８ａを複数有する板状のガード部材８が固定されており、皮膚が切れないようになっている。また、刃部材５の幅方向両端は丸く角が落とされた形状となっており、万一の怪我が生じないように考慮されている。
【００２０】
図７に示されるように、柄部２及び首部６は湾曲形状に形成されており、刃部材５は、柄部２及び首部６の湾曲形状の略延長線方向に刃先５ａが向くようにヘッド部３に固定されている。これによれば、柄部２の操作による刃先５ａのコントロールが行い易く、眉を所望の形状に整えやすい。
【００２１】
また、図７に示されるように、ヘッド部３は、先端に向けて厚みが漸次薄くなるように形成されており、かつその先端に刃先５ａが位置していることから、図８及び図９に示されるように、鏡を見ながら眉毛を剃る際に刃先５ａがヘッド部３で隠されず、刃先５ａの位置を鏡で容易に確認できる。加えて、薄型かつその先端に刃先５ａが向く構成であることから、顔の凹凸形状のキワに刃先５ａを沿わせ易く、例えば図１０に示されるように、鼻下の剃毛を行う際には、刃先５ａを鼻の下のキワに沿わせて剃り残しを防ぐことができる。
【００２２】
また上述したように、ヘッド部３が略三角形状となっていることから、図８に示されるように、鏡を見ながら眉毛を剃る際に、ヘッド部３の上部（首部６側）の幅が小さくなっている分、眉の形状を視認しやすくなっており、眉を所望の形状に整えやすい。
【００２３】
また、柄部２及び首部６の湾曲形状の略延長線方向に沿って連続してヘッド部３が形成されて、段のない滑らかな一体形状となっているとともに、ヘッド部３の先端に刃先５ａが配置されていることから、使用者は柄部２及び首部６とヘッド部３の湾曲形状と、その延長線方向に位置する刃先５ａの向きを見るだけで、顔用剃刀１の持ち方や向き等の扱い方を感覚的に判断できる所謂ユニバーサルデザインとなっている。
【００２４】
また、ヘッド部３は、首部６の先端から連続して延設されていることから、首部６がヘッド部３の寸法分、刃先５ａから離れて位置している。そのため、図７に示されるように、柄部２の首部６側が使用者の顔から離間し、柄部２の首部６側が視界をそれほど遮らず、自身の姿を確認し易いので、邪魔と感じにくいものとなっている。
【００２５】
また、図７に示されるように、柄部２及び首部６の湾曲形状の略延長線方向に刃先５ａが向くようにヘッド部３に固定されているため、柄部２を持ち上げずとも、刃先５ａが眉に真っ直ぐ当接することになり、剃り際の処理が容易であることに加え、手や腕に負担が掛かりづらく、例えば手や腕の運動に制限のある使用者でも利用し易い。
【００２６】
以上、本発明の実施例を図面により説明してきたが、具体的な構成はこれら実施例に限られるものではなく、本発明の要旨を逸脱しない範囲における変更や追加があっても本発明に含まれる。
【００２７】
例えば、前記実施例では、ヘッド部を構成するヘッド基部３ａ，刃部材５，カバー部材７は、それぞれ正面視略相似形状の略三角形状である例を説明したが、ヘッド部３の首部６側が視界の邪魔になりづらい、首部６から先端に向け漸次拡張する略三角形状ないし略台形形状であれば、それぞれがどのような形状であってもよい。
例えば、図１１（ａ）に示す変形例のように、刃部材５１が略矩形であってもよいし、図１１（ｂ）に示す変形例のように、刃部材５２が略台形であってもよい。
また、図１１（ｃ）に示す変形例のように、ヘッド基部３３ａが台形であってもよい。
更に、図１１（ｂ）に示す変形例のように、カバー部材７２が略台形であってもよいし、図１１（ｃ）に示す変形例のように、カバー部材７３が半円形状であってもよい。
【００２８】
また、刃部材５とカバー部材７は、ヘッド基部３ａの上に配置される構成で説明したが、これに限らず、ヘッド基部３ａの下に固定される構成としてもよい。
【００２９】
また、カバー部材７とヘッド基部３ａとが別体で形成される構成で説明したが、これに限らず、例えばヘッド部にスリットを形成し、このスリットに刃部材を直接固定させる構成としてもよい。
【００３０】
また、顔用剃刀１は上述したような形状であれば、例えば、柄部と首部とヘッド部とをそれぞれ別体に形成して組み立てて形成されていてもよい。
【符号の説明】
【００３１】
１                顔用剃刀
２                柄部
３                ヘッド部
３ａ              ヘッド基部
４                把持部
５                刃部材
５ａ              刃先
６                首部
７                カバー部材
８                ガード部材
１０              凸条
１１，１１        孔
１２，１２        係合孔
１３，１３        凸部
【図１】
2017189218.tif 000003
【図２】
2017189218.tif 000004
【図３】
2017189218.tif 000005
【図４】
2017189218.tif 000006
【図５】
2017189218.tif 000007
【図６】
2017189218.tif 000008
【図７】
2017189218.tif 000009
【図８】
2017189218.tif 000010
【図９】
2017189218.tif 000011
【図１０】
2017189218.tif 000012
【図１１】
2017189218.tif 000013
【図１２】
2017189218.tif 000014
【図１３】
2017189218.tif 000015